(57)【要約】【課題】清涼菓子と通称する小型のタブレット（ｔａｂｌｅｔ；偏平な錠剤）を収容して携帯する、小さい振り出し開口ａと大きい摘み出し開口ｂとを設けたタブレット容器であって、この小型のタブレットを手軽に振り出して賞味することができる、またこの小型のタブレットを静かに摘み出して賞味することができる、しかも詰替え用の小型のタブレットなどを再び収容することができる、使い勝手が良いプラスチック製のタブレット容器を提供する。【解決手段】本発明は、それぞれプラスチック製の、角を丸めた偏平直方体状などの容器本体２の上面側に、小さい振り出し開口ａと大きい摘み出し開口ｂとを設けて、この振り出し開口ａと摘み出し開口ｂとを、それぞれ相対するヒンジ接続部ｃと指掛け（繋止）突起ｄとを有する、ヒンジ開口構造の上面被せ板３，３で覆ったタブレット容器である。【選択図】図１
2007238128.tif 000002
【特許請求の範囲】
【請求項１】
それぞれプラスチック製の、角を丸めた偏平直方体状などの容器本体２の上面側に、小さい振り出し開口ａと大きい摘み出し開口ｂとを設けて、この振り出し開口ａと摘み出し開口ｂとを、それぞれ相対するヒンジ接続部ｃと指掛け(繋止)突起ｄとを有する、ヒンジ開口構造の上面被せ板３,３で覆ったことを特徴とするタブレット容器。
【請求項２】
請求項１に記載のタブレット容器において、容器本体２の上面側に設けた小さい振り出し開口ａを、ヒンジ開口構造の上面被せ板３に替えて、相対する嵌合回転部ｅと指掛け(繋止)突起ｄとを有する、スライド開口構造の上面被せ板４で覆ったことを特徴とするタブレット容器。
【発明の詳細な説明】
【技術分野】
【０００１】
本発明は、２〜３粒を口に含んでペパーミントなどの清涼感を賞味する、清涼菓子と通称する小型のタブレット（ｔａｂｌｅｔ；偏平な錠剤）を収容して携帯する、小さい振り出し開口ａと大きい摘み出し開口ｂとを設けた、使い勝手が良いプラスチック製のタブレット容器に関する。
【背景技術】
【０００２】
従来から、２〜３粒を口に含んでペパーミントなどの清涼感を賞味する、清涼菓子と通称する小型のタブレットを収容して携帯する、図５Ａ，Ｂ，Ｃに示すプラスチック製の、角を丸めた偏平直方体状の上面を開放した容器本体５に、収容部を仕切ることによって小さい振り出し開口ａを設けて、この振り出し開口ａを、容器本体５の相対する両側面に嵌合してスライドする、逆Ｕ字構造の上面被せ板６で覆ったタブレット容器（商品名；フリスク（カネボウフーズ（株）））が、ヒット商品として広く用いられている。
【０００３】
また従来から、同様の清涼菓子と通称する小型のタブレットを収容して携帯する、例えば図６Ａ，Ｂに示すようなプラスチック製の、角を丸めた偏平直方体状などの容器本体７の側面角部などに、単に小さい振り出し開口ａを設けて、この振り出し開口ａを、相対するヒンジ接続部ｃと指掛け（繋止）突起ｄとを有する、ヒンジ開口構造の上面被せ板３で覆った各種形状のタブレット容器が、一般に広く用いられている。
【発明の開示】
【発明が解決しようとする課題】
【０００４】
ところが従来の、図５に示すタブレット容器については、徒歩で散歩，外出中や電車，自動車で移動中などに、図５Ｂに示すタブレット容器の逆Ｕ字構造の上面被せ板６を、図５Ｃに示すように後方にスライドすることによって、簡単に小さい振り出し開口ａを開口して、２〜３粒の清涼菓子と通称する小型のタブレットを手軽に振り出して、口に含んでペパーミントなどの清涼感を賞味することができるものの、この小型のタブレットを静かに摘み出すことができないために、静かな環境の事務室や会議室などでは、振り出す時にカチャカチャと音がするなどの、周囲に迷惑を掛ける恐れがあった。
【０００５】
また従来の、図６に示すような各種形状のタブレット容器については、同様に徒歩で散歩，外出中や電車，自動車で移動中などに、図６Ａに示すタブレット容器のヒンジ開口構造の上面被せ板３を、図６Ｂに示すように指掛け（繋止）突起ｄの繋止を解除することによって、簡単に小さい振り出し開口ａを開口して、２〜３粒の清涼菓子と通称する小型のタブレットを手軽に振り出して、口に含んでペパーミントなどの清涼感を賞味することができるものの、同様にこの小型のタブレットを静かに摘み出すことができないために、静かな環境の事務室や会議室などでは、振り出す時にカチャカチャと音がするなどの、周囲に迷惑を掛ける恐れがあった。
【０００６】
加えて従来の、図６に示すような各種形状のタブレット容器については、角を丸めた偏平直方体状などの容器本体７の、清涼菓子と通称する小型のタブレットの収容部を開放することができないために、この小型のタブレットを、容器本体７の成型工程で同時に収容する必要（製造工程上の制約）があって、しかも清涼菓子と通称する小型のタブレットを振り出して賞味した後に、詰替え用の小型のタブレットなどを容器本体７に再び収容して、この各種形状のタブレット容器を再利用することは不可能であった。
【０００７】
そこで、本発明の目的は、２〜３粒を口に含んでペパーミントなどの清涼感を賞味する
、清涼菓子と通称する小型のタブレット（ｔａｂｌｅｔ；偏平な錠剤）を収容して携帯する、小さい振り出し開口ａと大きい摘み出し開口ｂとを設けたタブレット容器であって、この小型のタブレットを手軽に振り出して賞味することができる、またこの小型のタブレットを静かに摘み出して賞味することができる、しかも詰替え用の小型のタブレットなどを再び収容することができる、使い勝手が良いプラスチック製のタブレット容器を提供することにある。
【課題を解決するための手段】
【０００８】
本発明の請求項１に記載のタブレット容器は、図１，図２に示すように、それぞれプラスチック製の、角を丸めた偏平直方体状などの容器本体２の上面側に、図１Ｂに示す小さい振り出し開口ａと図１Ｃに示す大きい摘み出し開口ｂとを設けて、この振り出し開口ａと摘み出し開口ｂとを、それぞれ相対するヒンジ接続部ｃと指掛け（繋止）突起ｄとを有する、図１Ｂ，Ｃに示すヒンジ開口構造の上面被せ板３，３で覆ったことを特徴とするタブレット容器である。
【０００９】
本発明のタブレット容器においては、それぞれプラスチック製の、角を丸めた偏平直方体状などの容器本体２の上面側に、図１Ｂに示す小型のタブレットを手軽に振り出す小さい振り出し開口ａと図１Ｃに示す小型のタブレットを静かに摘み出す大きい摘み出し開口ｂとを設けて、この振り出し開口ａと摘み出し開口ｂとを、それぞれ相対するヒンジ接続部ｃと指掛け（繋止）突起ｄとを有する、図１Ｂ，Ｃに示すヒンジ開口構造の上面被せ板３，３で覆ったことによって、
このヒンジ開口構造の上面被せ板３，３の、それぞれの指掛け（繋止）突起ｄの繋止を指を掛けて解除しながら、それぞれ相対するヒンジ接続部ｃ，ｃを開いて、図１Ｂに示すように、簡単に上面被せ板３を開放して小さい振り出し開口ａを開口して、２〜３粒の清涼菓子と通称する小型のタブレットを手軽に振り出して、また図１Ｃに示すように、簡単に上面被せ板３を開放して大きい摘み出し開口ｂを開口して、同様の小型のタブレットを静かに摘み出して、それぞれ口に含んでペパーミントなどの清涼感を賞味することができる、しかもこの開口した大きい摘み出し開口ｂから、詰替え用の小型のタブレットなどを再び収容することができる、使い勝手が良いプラスチック製のタブレット容器を得ることができる。
【００１０】
本発明の請求項２に記載のタブレット容器は、前述した請求項１に記載のタブレット容器において、図３，図４に示すように、容器本体２の上面側に設けた図３Ｂ（図１Ｂ）に示す小さい振り出し開口ａを、前述した図１Ｂに示すヒンジ開口構造の上面被せ板３に替えて、相対する嵌合回転部ｅと指掛け（繋止）突起ｄとを有する、図３Ｂに示すスライド開口構造の上面被せ板４で覆ったことを特徴とするタブレット容器である。
【００１１】
本発明のタブレット容器においては、同様にそれぞれプラスチック製の、角を丸めた偏平直方体状などの容器本体２の上面側に、図３Ｂ（図１Ｂ）に示す小型のタブレットを手軽に振り出す小さい振り出し開口ａと図３Ｃ（図１Ｃ）に示す小型のタブレットを静かに摘み出す大きい摘み出し開口ｂとを設けて、この振り出し開口ａを、前述した図１Ｂに示すヒンジ開口構造の上面被せ板３に替えて、相対する嵌合回転部ｅと指掛け（繋止）突起ｄとを有する、図３Ｂに示すスライド開口構造の上面被せ板４で覆ったことによって、またこの摘み出し開口ｂを、前述した図１Ｃに示すヒンジ開口構造の上面被せ板３と同様の、相対するヒンジ接続部ｃと指掛け（繋止）突起ｄとを有する、図３Ｃに示すヒンジ開口構造の上面被せ板３で覆ったことによって、
このスライド開口構造の上面被せ板４とヒンジ開口構造の上面被せ板３との、それぞれの指掛け（繋止）突起ｄの繋止を指を掛けて解除しながら、相対する嵌合回転部ｅをスライド回転して、また相対するヒンジ接続部ｃを開いて、図３Ｂに示すように、簡単に上面被せ板４を開放して小さい振り出し開口ａを開口して、２〜３粒の清涼菓子と通称する小
型のタブレットを手軽に振り出して、また図３Ｃに示すように、簡単に上面被せ板３を開放して大きい摘み出し開口ｂを開口して、同様の小型のタブレットを静かに摘み出して、それぞれ口に含んでペパーミントなどの清涼感を賞味することができる、しかもこの開口した大きい摘み出し開口ｂから、詰替え用の小型のタブレットなどを再び収容することができる、前述した請求項１に記載のタブレット容器と同様に、使い勝手が良いプラスチック製のタブレット容器を得ることができる。
【発明の効果】
【００１２】
以上、本発明のタブレット容器においては、徒歩で散歩，外出中や電車，自動車で移動中などに、ヒンジ開口構造の上面被せ板３又はスライド開口構造の上面被せ板４の、それぞれの指掛け（繋止）突起ｄの繋止を指を掛けて解除しながら、相対するヒンジ接続部ｃを開いて又は相対する嵌合回転部ｅをスライド回転して、図１Ｂ，図３Ｂに示すように、簡単に上面被せ板３，４を開放して小さい振り出し開口ａ，ａを開口して、２〜３粒の清涼菓子と通称する小型のタブレットを手軽に振り出して、口に含んでペパーミントなどの清涼感を賞味することができる、また静かな環境の事務室や会議室などでは、ヒンジ開口構造の上面被せ板３，３の、それぞれの指掛け（繋止）突起ｄの繋止を指を掛けて解除しながら、それぞれ相対するヒンジ接続部ｃ，ｃを開いて、図１Ｃ，図３Ｃに示すように、簡単に上面被せ板３，３を開放して大きい摘み出し開口ｂ，ｂを開口して、同様の小型のタブレットを静かに摘み出して、口に含んでペパーミントなどの清涼感を賞味することができる、それぞれ使い勝手が良いプラスチック製のタブレット容器を提供することができる。
【００１３】
加えて、本発明のタブレット容器においては、前述した図１Ｃ，図３Ｃに示すように、簡単に上面被せ板３，３を開放して大きい摘み出し開口ｂ，ｂを開口して、角を丸めた偏平直方体状などの容器本体２，２の、それぞれ清涼菓子と通称する小型のタブレットの収容部を開放することができるために、この小型のタブレットを、容器本体２，２の成型工程（で同時に又は成型工程）の後に収容することができる、製造工程上の制約がないタブレット容器であって、しかも清涼菓子と通称する小型のタブレットを振り出して又は摘み出して賞味した後に、詰替え用の小型のタブレットなどを容器本体２，２に再び収容して、そのまま再利用することができる、それぞれさらに使い勝手が良いプラスチック製のタブレット容器を提供することができる。
【発明を実施するための最良の形態】
【００１４】
本発明のタブレット容器については、アクリロニトリル・ブタジエン・スチレン（ＡＢＳ）やアクリロニトリル・スチレン（ＡＢ）やポリカーボネート（ＰＣ）やポリプロピレン（ＰＰ）やポリスチレン（ＰＳ）やポリ塩化ビニル（ＰＶＣ）などの、通常の成型性が優れたプラスチック材料を用いて、また特にヒンジ開口構造の上面被せ板３（容器本体２の分割した上面側）については、ポリエステル（ＰＥＴ）やポリプロピレン（ＰＰ）やポリエチレン（ＰＥ）などの、通常のヒンジ特性が優れたプラスチック材料を用いて、後述する実施例に示すような、通常の射出成型方法などで、特に制約なく作製することができる。
【実施例１】
【００１５】
図１Ａは、本発明の実施例１における、タブレット容器の斜視図であって、図１Ｂ，Ｃは、タブレット容器の小さい振り出し開口ａと大きい摘み出し開口ｂとを、それぞれ開口した状態を示す斜視説明図である。  また図２Ａは、本発明の実施例１における、タブレット容器の上面図であって、図２Ｂ，Ｃ，Ｄは、タブレット容器の断面説明図である。
【００１６】
本発明の実施例１のタブレット容器は、後方（摘み出し開口ｂ側）がＲ；１５ｍｍの半円形の、縦，横，高さが７４×３２×１５ｍｍの角を丸めた偏平直方体状の容器本体２の
上面側の右前方と後方とに、１０ｍｍφの円形の小さい振り出し開口ａと後方が半円形の４８×２４ｍｍの長方形状の大きい摘み出し開口ｂとを設けて、この振り出し開口ａと摘み出し開口ｂとを、それぞれ相対する通常のヒンジ接続部ｃと通常の指掛け（繋止）突起ｄとを有する、図１Ｂに示すヒンジ開口構造の１８×２０ｍｍの長方形被せ蓋状の上面被せ板３と、図１Ｃに示すヒンジ開口構造の後方が半円形の５４×３２ｍｍの長方形被せ蓋状の上面被せ板３とで、それぞれ覆った、図１Ａ，図２Ａ，Ｂ，Ｃ，Ｄに示すタブレット容器である。
【００１７】
本発明の実施例１においては、タブレット容器の容器本体２を上面側と底面側とに分割して、図１Ｂ，Ｃに示すヒンジ開口構造の上面被せ板３，３をヒンジ接続部ｃ，ｃを介して接続した容器本体２の分割した上面側と、容器本体２の分割した底面側とを、それぞれ通常の成型性，ヒンジ特性が優れたポリプロピレン（ＰＰ）を用いて、それぞれ通常の射出成型方法で成型した後に、清涼菓子と通称する小型のタブレット（８ｍｍφ×２．５ｍｍの偏平な錠剤）の５０粒を収容しながら、それぞれ成型した容器本体２の分割した上面側と底面側とを嵌合して、分割する前の容器本体２に復元することによって、本発明の実施例１における、図１Ａ，図２Ａに示すタブレット容器を作製した。
【００１８】
本実施例のタブレット容器においては、図１Ｂ，Ｃに示すヒンジ開口構造の上面被せ板３，３の、それぞれの指掛け（繋止）突起ｄの繋止を指を掛けて解除しながら、それぞれ相対するヒンジ接続部ｃ，ｃを開いて、図１Ｂに示すように、簡単に上面被せ板３を開放して小さい振り出し開口ａを開口して、２〜３粒の清涼菓子と通称する小型のタブレットを手軽に振り出して、また図１Ｃに示すように、簡単に上面被せ板３を開放して大きい摘み出し開口ｂを開口して、同様の小型のタブレットを静かに摘み出して、それぞれ口に含んでペパーミントなどの清涼感を賞味することができる、しかもこの開口した大きい摘み出し開口ｂから、詰替え用の小型のタブレットなどを再び収容することができる、後方が半円形の角を丸めた偏平直方体状の、デザイン展示効果などが優れた使い勝手が良いプラスチック製のタブレット容器が得られた。
【実施例２】
【００１９】
図３Ａは、本発明の実施例２における、タブレット容器の斜視図であって、図３Ｂ，Ｃは、タブレット容器の小さい振り出し開口ａと大きい摘み出し開口ｂとを、それぞれ開口した状態を示す斜視説明図である。  また図４Ａは、本発明の実施例２における、タブレット容器の上面図であって、図４Ｂ，Ｃ，Ｄは、タブレット容器の断面説明図である。
【００２０】
本発明の実施例２のタブレット容器は、後方（摘み出し開口ｂ側）がＲ；１５ｍｍの半円形の、縦，横，高さが７４×３２×１５ｍｍの角を丸めた偏平直方体状の、実施例１と同一の容器本体２の上面側の右前方と後方とに、１０×１０ｍｍの正方形の小さい振り出し開口ａと後方が半円形の５０×３０ｍｍの長方形状の大きい摘み出し開口ｂとを設けて、この振り出し開口ａを、実施例１の図１Ｂに示すヒンジ開口構造の上面被せ板３に替えて、相対する通常の嵌合回転部ｅと通常の指掛け（繋止）突起ｄとを有する、図３Ｂに示すスライド開口構造の左後方が１／４円形の１８×２０ｍｍの長方形被せ蓋状の上面被せ板４で覆って、またこの摘み出し開口ｂを、実施例１の図１Ｃに示すヒンジ開口構造の上面被せ板３と同様の、相対する通常のヒンジ接続部ｃと通常の指掛け（繋止）突起ｄとを有する、図３Ｃに示すヒンジ開口構造の後方が半円形の５２×３２ｍｍの長方形被せ蓋状の上面被せ板３とで覆った、図３Ａ，図４Ａ，Ｂ，Ｃ，Ｄに示すタブレット容器である。
【００２１】
本発明の実施例２においては、タブレット容器の容器本体２を、実施例１と同様に上面側と底面側とに分割して、図３Ｃに示すヒンジ開口構造の上面被せ板３をヒンジ接続部ｃを介して接続した容器本体２の分割した上面側と、容器本体２の分割した底面側と、図３Ｂに示すスライド開口構造の上面被せ板４とを、それぞれ通常の成型性，ヒンジ特性が優
れたポリプロピレン（ＰＰ）を用いて、それぞれ通常の射出成型方法で成型して、それぞれ成型した容器本体２の分割した上面側と底面側とを嵌合して、分割する前の容器本体２に復元した後に、図４Ｃ，Ｄに示す容器本体２の小穴ｆに上面被せ板４の突起ｇを無理嵌合して、図３Ｃに示す上面被せ板３を開放して開口した大きい摘み出し開口ｂから、実施例１と同様の清涼菓子と通称する小型のタブレット（８ｍｍφ×２．５ｍｍの偏平な錠剤）の５０粒を収容することによって、本発明の実施例２における、図３Ａ，図４Ａに示すタブレット容器を作製した。
【００２２】
本実施例のタブレット容器においては、図３Ｂに示すスライド開口構造の上面被せ板４と図３Ｃに示すヒンジ開口構造の上面被せ板３との、それぞれの指掛け（繋止）突起ｄの繋止を指を掛けて解除しながら、相対する嵌合回転部ｅをスライド回転して、また相対するヒンジ接続部ｃを開いて、図３Ｂに示すように、簡単に上面被せ板４を開放して小さい振り出し開口ａを開口して、２〜３粒の清涼菓子と通称する小型のタブレットを手軽に振り出して、また図３Ｃに示すように、簡単に上面被せ板３を開放して大きい摘み出し開口ｂを開口して、同様の小型のタブレットを静かに摘み出して、それぞれ口に含んでペパーミントなどの清涼感を賞味することができる、しかもこの開口した大きい摘み出し開口ｂから、詰替え用の小型のタブレットなどを再び収容することができる、前述した実施例１と同様の後方が半円形の角を丸めた偏平直方体状の、デザイン展示効果などが優れた使い勝手が良いプラスチック製のタブレット容器が得られた。
【産業上の利用可能性】
【００２３】
本発明の、小さい振り出し開口ａと大きい摘み出し開口ｂとを設けた、使い勝手が良いプラスチック製のタブレット容器については、前述した清涼菓子と通称する小型のタブレットの他に、のど飴やドロップやカシューナッツなどの、中大型のタブレットを収容して携帯する、この中大型のタブレットを手軽に振り出して又は静かに摘み出して賞味することができる、使い勝手が良いプラスチック製のタブレット容器として、小さい振り出し開口ａの直径を大きくするなどして、そのまま幅広く利用することができる。
【図面の簡単な説明】
【００２４】
【図１】本発明の実施例１における、図１Ａは、タブレット容器の斜視図であって、図１Ｂ，Ｃは、タブレット容器の小さい振り出し開口ａと大きい摘み出し開口ｂとを、それぞれ開口した状態を示す斜視説明図である。
【図２】本発明の実施例１における、図２Ａは、タブレット容器の上面図であって、図２Ｂ，Ｃ，Ｄは、タブレット容器の断面説明図である。
【図３】本発明の実施例２における、図３Ａは、タブレット容器の斜視図であって、図３Ｂ，Ｃは、タブレット容器の小さい振り出し開口ａと大きい摘み出し開口ｂとを、それぞれ開口した状態を示す斜視説明図である。
【図４】本発明の実施例２における、図４Ａは、タブレット容器の上面図であって、図４Ｂ，Ｃ，Ｄは、タブレット容器の断面説明図である。
【図５】図５Ａ，Ｂ，Ｃは、従来のタブレット容器の斜視図である。
【図６】図６Ａ，Ｂは、従来のタブレット容器の斜視図である。
【符号の説明】
【００２５】
２        …容器本体
３        …ヒンジ開口構造の上面被せ板
４      …スライド開口構造の上面被せ板
５，７  …従来の容器本体
６        …逆Ｕ字構造の上面被せ板
ａ        …小さい振り出し開口
ｂ        …大きい摘み出し開口
ｃ        …ヒンジ接続部
ｄ        …指掛け（繋止）突起
ｅ        …嵌合回転部
ｆ        …容器本体２の小穴
ｇ        …上面被せ板４の突起
【図１】
2007238128.tif 000003
【図２】
2007238128.tif 000004
【図３】
2007238128.tif 000005
【図４】
2007238128.tif 000006
【図５】
2007238128.tif 000007
【図６】
2007238128.tif 000008